(57)【特許請求の範囲】
【請求項１】
容器の内容物を仕分ける仕切りに関し、前記仕切りが、前記容器の口から容器内に垂下する仕切り部と、前記仕切り部と連続して容器の口上部、側部外面そして底部外面へと取り囲んで延びる周囲部を有し、前記仕切りは、一枚の可撓性のシートからなり、前記仕切り部と、前記周囲部とが、該シートを部分的に切って作られていることを特徴とする、仕切り。
【請求項２】
前記仕切りは、一枚の可撓性のシートからなり、該シートが２枚に折り畳まれ、前記仕切り部と、前記周囲部とが、該折り畳まれたシートを部分的に切って対に作られていることを特徴とする請求項１に記載の仕切り。
【請求項３】
前記容器の底部外面を面で支えるように、前記仕切りの周囲部のうち少なくとも一部を該容器の該底部の位置で折ることが可能となっていることを特徴とする請求項1又は2に記載の仕切り。
【請求項４】
前記仕切りは、前記容器の口の上部に開口部が設けられていることを特徴とする請求項1乃至3のいずれかに記載の仕切り。
【請求項５】
前記仕切りは、前記容器の内部に垂下する仕切り部が該容器に内面に当接するように折ることが可能な折り片が設けられていることを特徴とする請求項1乃至4のいずれかに記載の仕切り。
【請求項６】
前記シートは、ボール紙等の厚紙であることを特徴とする請求項1乃至5のいずれかに記載の仕切り。
【請求項７】
内容物を仕分ける仕切りが設けられた容器であって、前記仕切りが、前記容器の口から容器内に垂下する仕切り部と、前記仕切り部と連続して容器の口上部、側部外面及び底部外面へと容器を取り囲むように延びる周囲部を有し、前記仕切りは、一枚の可撓性のシートからなり、前記仕切り部と、前記周囲部とが、該シートを部分的に切って作られていることを特徴とする、容器。
【請求項８】
前記仕切りは、一枚の可撓性のシートからなり、該シートが２枚に折り畳まれ、前記仕切り部と、前記周囲部とが、該折り畳まれたシートを部分的に切って対に作られていることを特徴とする請求項7に記載の容器。
【請求項９】
前記容器の底部外面を面で支えるように、前記仕切りの周囲部のうち少なくとも一部を該容器の該底部の位置で折ることが可能となっていることを特徴とする請求項7又は8に記載の容器。
【発明の詳細な説明】
【０００１】
【発明の属する技術分野】
本発明は、容器、特にその内容物が比較的軽量な容器、例えば、ポップコーンやキャラメル、菓子類等を収容可能な容器の仕切り及び容器に関する。
【０００２】
【従来の技術】
従来、映画館や遊園地といった興行施設では、ポップコーンやクッキー、キャラメル等のスナック類、その他の様々な食べ物が提供されている。
【０００３】
この食べ物を入れるために一方の口が開いたバケツ状の容器がよく使用されている。しかし、一つの容器に、様々な食べ物を入れると、食べ物が混在してしまう。従って、通常、食べ物毎に別々の容器を用意するといったいったことが行われている。
【０００４】
しかし、複数の容器を持つのは、手が不自由となり時に飲み物をこぼしたり、食べ物を散乱させてしまうといった問題を有していた。特に、大きな容器の場合には、その容器を手で掴むことは必ずしも容易ではなく、その取り扱いが極めて大変であった。
【０００５】
さらに、ポップコーンなどは、塩味やキャラメル味といった複数の味覚のものが提供されいるが、味の異なったものを同じ容器に入れた場合には、味が混ざってしまうといった問題があり、しかも上記したように容器を持つ煩雑さから、そのうちの一つを選ばざるを得ないといった状況が生じていた。
【０００６】
【発明が解決しようとする課題】
本発明は、かかる問題に着目してなされたものであり、人が多品種、複数のスナック類、特にポップコーン等の異なる味付けがされるものの自由な選択を可能とし、しかもその取り扱いが簡単となる容器を提供するものである。
【０００７】
【課題を解決するための手段】
本発明によると、開口する容器の内容物を仕分ける仕切りに関するものであり、その仕切りが、容器の口から容器内に垂下する仕切り部と、その仕切り部と連続して容器の口上部、側部外面そして底部外面へと取り囲んで延びる周囲部を有することを特徴とするものである。この構成によって、容易にしかも確実に容器を仕切ることができるとともに、その仕切りを持つだけで容器を安定して保持できる。
【０００８】
より好ましいのは、その仕切りは、一枚の可撓性のシートからなり、前記仕切り部と、前記周囲部とが、該シートを部分的に切って作られる。これによって極めて簡単に仕切りを提供することができる。
【０００９】
さらにより好ましいのは、その仕切りは、一枚の可撓性のシートからなり、該シートが２枚に折り畳まれ、前記仕切り部と、前記周囲部とが、該折り畳まれたシートを部分的に切って対に作られていることを特徴とするものである。これによって、容易に仕切りが提供できるばかりか、容器がバランスよく支持されるためその安定性が極めて増すこととなる。
【００１０】
より安定性を増すために、容器の底部外面を面で支えるように、仕切りの周囲部のうち少なくとも一部が容器の底部の位置で折ることが可能となっていることが好ましい。
【００１１】
さらに、手による把持をより容易にするために、前記容器の口の上部には開口部が形成される。
【００１２】
さらに、仕切り部が容器の内部でより強く確実に保持されるように、容器の内部に垂下する仕切り部にはその容器に内面に当接するように折られることが可能な折り片が設けられていることが好ましい。
【００１３】
最も効率的に安価な仕切りを作るために、そのシートはボール紙等の厚紙であることが好ましい。
【００１４】
本発明は、更に内容物を仕分ける仕切りが設けられた容器をも提供する。そしてその仕切りは、容器の口から容器内に垂下する仕切り部と、仕切り部と連続して容器の口上部、側部外面及び底部外面へと容器を取り囲むように延びる周囲部を有することを特徴とするものである。
【００１５】
好ましくは、仕切りは、一枚の可撓性のシートからなり、その仕切り部と周囲部とが、該シートを部分的に切って作られていることを特徴とする。
【００１６】
さらにより好ましいのは、その仕切りは、一枚の可撓性のシートからなり、該シートが２枚に折り畳まれ、仕切り部と前記周囲部とが、その折り畳まれたシートを部分的に切って対に作られていることを特徴とするものである。
【００１７】
そして、容器をより安定的に保持するために、容器の底部外面を面で支えるように、仕切りの周囲部のうち少なくとも一部を該容器の該底部の位置で折ることが可能となっていることを特徴とするものである。
【００１８】
【発明の実施の形態】
本発明による具体的形態の一例を、図を参照しつつ詳細に説明する。
【００１９】
図１乃至図４は、本発明による仕切りを容器に取り付けた状態を示し、図１はその斜視図、図２は側面図、図３は正面図、図４は底面図を示している。
【００２０】
この図から明らかなように、容器Ｐには、その容器の口から内方へと略対称に容器の底まで垂下する一対の仕切り部３と、さらにこの仕切り部３と連続して容器の口の上部から両側外面Ｐ２及び底部外面Ｐ３に沿って回り込んで延びる周囲部を有する仕切り１０が設けられている。
【００２１】
より具体的には、周囲部は、容器の両側面Ｐ２に沿って延びるようにして底部Ｐ３へと垂下する両側部１と、その容器の底Ｐ３に沿って延びて両側部１間を接続する支持部２を有する。両側部１は、図３に示すように容器の両側Ｐ２を略対称に延びているとともに、図２に示したように、その各側においても、仕切り３の上部から対に分かれて略対称に底部Ｐ３へと延びている。各側部に垂下する両側部１は、それぞれ反対の側にある両側部１とそれぞれの底部２によって接続され、全体が一体的となって容器を取り囲むようにしている。
【００２２】
仕切り１０は、仕切り部３の上方に開口部４が設けられており、その開口部４に手を掛けて持つことができる。容器Ｐに取り付けられた仕切り１０の開口部４を把持して提げると、容器Ｐの底Ｐ３で広がった一対の底部２によって容器Ｐは安定的に支持され、容器Ｐをそれに伴って提げることができる。仕切り１０は、後に詳細に述べるように、底部２を安定的に支持できる程度の剛性と仕切り１０を容器に取り付けたり取り外したりする事のできる程度の可撓性を有する。そして、図４に示すように、容器の底Ｐ３にかかった仕切り１０の底部２をそれぞれ矢印の方向へとバランスが保てるような適度な支持位置へと任意に移動させることが可能である。また、通常は、容器Ｐと仕切り１０とは、別個に分けて保管することができ、必要なときに図１乃至４に示したように、仕切り１０の仕切り部３を容器Ｐに内部に吊し、そして底部２を容器の底に引っかけるようにして取り付ける。
【００２３】
この仕切り１０は、一枚のシート、好ましくは、容器を安定して支持可能な程度の適度な腰と可撓性を有する、例えばボール紙等の厚紙から制作することができるが、これに限定されるものではなく、多様な素材から得ることができるであろう。
【００２４】
仕切り１０の制作方法を図５を参照して説明する。まず、略長方形のシートを２つ折りして重ねる。そして、折られた部分を仕切り１０の頂部５となるようにして、図から見てＣ１、Ｃ２、Ｃ３の線に沿って２層となったシートを重ねたまま切断する。Ｃ１は、仕切り１０の側部１と中央の仕切り部３とを分けるためのものである。加えて、シートには、左右対称に２ヶ所で折ることを容易にするために、破線で示した切れ込み等による折り目２ｃ、３ｂが２層のシートに同様に入れられる。また、Ｃ３は、折り片３ａを設けるために切断Ｃ１の末端から内方へとわずかに入れられた切断である。
【００２５】
仕切り部３の両辺は、折り片３ａが折り目３ｂによって折ることが可能であり、その両折り目３ｂ間の距離は容器の内径とほぼ同じか僅かに大きくなっている。これによって、仕切り部３を容器内に入れたときに、折り曲げられた折り片３ａの面が丁度容器の内側の面と接触して仕切り部３を容器内でしっかりと固定する役割を有する。両側の折り目３ｂ間の距離を容器の内径よりも大きくとった場合には、その仕切り部３は容器内で僅かに曲がり、容器内に垂れる２つの仕切り部３の面が合わさって互いに支持しあうことで、仕切り１０がより安定する。
【００２６】
また、映画館等で使用されるような容器は、その底が僅かに上げ底Ｐ１（図２、図３の破線参照）になっているものも多いことから、仕切り部３の最下辺３ｃは、その容器の上げ底Ｐ１の高さに相応する高さとなるように、両側部１の内側の辺まで続く切断線Ｃ２に沿ってシートが切断される。さらに、仕切り部３の最下辺３ｃまで、折り片３ａのための折り目３ｂが続き、細長い長方形の折り片３ａが作られる。
【００２７】
一方、容器の底Ｐ３を支えるための仕切り１０の底部２が丁度容器の底Ｐ３に当接するように、切断Ｃ１によって側部１が容器の上げ底よりさらに下方に延び、その切断Ｃ１の末端から折り目２ｃが両側へと対に延びて入れられる。これによって、折り目２ｃに沿って容器の底Ｐ３の面と平行に折られた仕切り１０の底部２は、上げ底によって余分に得られた部分２ａと、側部１の末端の折り目２ｃよりも下に拡大した部分２ｂによって広がり、図４で示したように、容器の底を大きく占めて容器を安定支持することとなる。尚、上げ底でない容器の場合には、切断Ｃ２と折り目２ｃとは略同じ高さに水平に設けるようにすればよい。これによって仕切り部３の下辺は容器内部の底にほぼ当接して仕切り部３を安定させることができる。
【００２８】
図６は、かかる方法によって得られた仕切り１０の一態様である。中央の折られたシートを頂点５にして、左右一対の側部１が下方に延びているとともに、折り目３ｂに沿って折られた折り片３ａが左右一対に垂下する。側部１と折り片３ａとの境界、すなわちＣ３の線に沿って切断された部分は、図１及び図３に示したように丁度容器の口に掛けられる。
【００２９】
側部１は容器の底部へと延びてそこで折り目２ｃによって折られて得られた底部２へと続く。底部２は、略容器の底部Ｐ３と同じ高さとなり、左右にしっかりと容器の底部を支えるように大きく広がることとなる。
【００３０】
【発明の効果】
以上のように、容器の口から容器内に垂下する仕切り部と、その仕切り部と連続して容器の口上部から側部外面、そして底部外面へと外周を取り巻くように設けられた周囲部からなる仕切りによって、その内容物を簡易に分離できるため、映画館等の興行施設において、極めて簡単に異なった種類のスナック類等を提供でき、特にポップコーンなど、塩味やキャラメル味といった多様な種類のスナックが裸で提供されるようなものでも味が混在せず、異なった味覚を楽しむことが可能となった。しかも、仕切りを中央で把持するだけで、容器を安定的に持つことができることから、不注意にも容器が手から外れ、スナック等が散乱してしなうといった問題を低減できるものとなった。
【００３１】
尚、この容器の仕切りのシートの質によってより強い仕切りやより柔軟な仕切りを得ることができる。例えば、ポップコーン等の比較的軽量なスナック類を入れるような容器は、容器は厚紙等によって得られた比較的軽量なものから作ることができるため、それに応じて、仕切りは腰はあるが比較的軽量なシートから作ることができるであろう。また、この仕切りの強さによっては、容器内の一方に全く別な食品や、紙コップ等にいれられた飲料物を入れるといった利用もできる。
【図面の簡単な説明】
【図１】  本発明による仕切りを容器に取り付けた状態の斜視図を示す。
【図２】  本発明による仕切りを容器に取り付けた状態の側面図を示す。
【図３】  本発明による仕切りを容器に取り付けた状態の正面図を示す。
【図４】  本発明による仕切りを容器に取り付けた状態の底面図を示す。
【図５】本発明による仕切りの正面図である。
【図６】本発明による仕切りの一態様の側面図である。
【符号の説明】
１  側部
２  底部
２ｃ  折り目
３  仕切り部
３ａ  折れ片
３ｂ  折り目
４  開口部
５  頂部
１０  仕切り
Ｃ１、Ｃ２、Ｃ３  切断部
Ｐ  容器
Ｐ１  上げ底部
Ｐ２  容器側部
Ｐ３  容器底部
【図１】
0003978718.tif 000002
【図２】
0003978718.tif 000003
【図３】
0003978718.tif 000004
【図４】
0003978718.tif 000005
【図５】
0003978718.tif 000006
【図６】
0003978718.tif 000007